(57)【要約】【課題】歩行・走行時に安定性があると共に地面に対して十分な力を加えられ、足首や周辺の関節部、骨部及び腱部等に無理に過大な負荷が加わることを防止して捻挫その他足に故障の発生を防止し、かつ足の機能を十分確実に発揮できる靴を提供しようとする。【解決手段】靴１で靴踵部２内側に、足関節部の動きを背屈と底屈以外は制限し得るように囲む両側壁部４と後壁部５をもつヒールカップ部３を設け、靴１の裏底部６に、足の第５中足骨７の基部近傍から第１中足骨８前部近傍に対応する部分にかけて、他より薄肉厚の折曲がり用部９を設け、かつ靴踵部２の外形を、下部へ凸状のほぼ半球状部１０に形成する。【選択図】        図１
2013042891.tif 000002
【特許請求の範囲】
【請求項１】
靴１で靴踵部２内側に、足関節部の動きを背屈と底屈以外は制限し得るように囲む両側壁部４と後壁部５をもつヒールカップ部３を設け、靴１の裏底部６に、足の第５中足骨７の基部近傍から第１中足骨８前部近傍に対応する部分にかけて、他より薄肉厚の折曲がり用部９を設け、かつ靴踵部２の外形を、下部へ凸状のほぼ半球状部１０に形成したことを特徴とする靴。
【発明の詳細な説明】
【技術分野】
【０００１】
本発明は、靴の改良に係るものであり、歩行・走行時に安定性があると共に地面に対して十分な力を加えることができ、また足首や周辺の関節部、骨部及び腱部等に過大な負荷が加わって生じる故障・障害を防止し、足の機能を十分に発揮できる構造の靴に関するものである。
【背景技術】
【０００２】
従来一般の靴は、靴踵部内および靴踵部外底面が平面状であるものが多い。これは、本来丸みを持った足踵部の形状と異なっている。そのため、歩行または走行時に靴内で、丸みを持った足踵部が内がえしの動き（図１４参照）や、外がえしの動き（図１５参照）が生じやすい。その結果、靴内で足が不安定であり、上記のような足首や周辺の関節部等に故障・障害が生じやすいし、十分に足へ力を加え難い。
【０００３】
また、靴踵部外底面が平面状であるものでは、足首が何かの事情で横方向へ傾いた場合には、下腿軸から加わる圧力が踵骨の一直方向にはならないために〔例えば後記特許文献３の図２や特許第３３１２３４０号（特開平２００２−１０１９０５号）の図３４参照〕、足首や周辺の骨部及び腱部に過回動や過大な負荷が加わり、捻挫や肉離れ等の故障を起こし易い。
【０００４】
さらに、靴踵部の外底面が平面状のものでは、傾斜した地面等を歩行や走行する場合にも、靴外底面の全体がその傾斜に沿おうとするから、やはり下腿軸から加わる圧力が踵骨の一直方向にはならないため、足首や周辺の関節部の故障・障害を起こし易い。
そこで上記諸問題に対応すべく、従来より幾つか形状・構造の靴が提案されている。
【先行技術文献】
【特許文献】
【０００５】
【特許文献１】特公昭３９−１５５９７号公報  これは、靴の製造方法に関するものであるが、「靴胛被内即ち足入れ部が足甲および足裏の自然な曲面によく適合する曲線により形成し、足との密着と保持がよく履き心地が良好」な靴として、そこでの図１ないし図７イでその形状が示されている。
【０００６】
【特許文献２】実開昭６１−５５８１０号公報  これは靴のクッション具であり、「少なくとも足の踵骨に一致する凹部を形成する両側壁、底壁および後壁を有する弾力性ボデーと、上記各壁の外面は、はきものに入れられるように形成されていることと、少なくとも足の踵の重量支持部に相当する領域において、上記ボデーと一体的に上記ボデーから突出している衝撃吸収部とから構成され、上記衝撃吸収部は、弾力性材料でつくられ、上記衝撃吸収部のゆがみと変形とによって、足が受けた衝撃力を吸収するように、はきものの着用者の踵のまわりで、はきものの中に置くことができるようになっている」ものである。
【０００７】
【特許文献３】特許第３３１２３４０号（特開平２００２−１０１９０５号）公報）  これは、足の形状に合わせて形成された靴底を有する靴であって、そこには、「着用者の足（２７）が靴の内部にある時に踵の位置に実質的に対応する位置にある靴底踵領域、着用者の足（２７）が靴の内部にある時に足の前部位置に実質的に対応する位置にある靴底前部領域、着用者の足（２７）が靴の内部にある時に足の踵と足の前部間の領域に実質的に対応する位置にある靴底中間部領域」を有し、「靴底が足、特に足の側部の自然な形状に合致し、そして左右方向縦平面（図４３参照）断面において一定の厚さを有し、それにより足が素足である場合と同様に足が地面と自然に作用しあうことを可能にすると共に、足を保護しかつ緩衝し続けるようにし」たものが記載されている。「靴底（２８）が直立かつ無負荷状態の時、左右方向縦平面断面内に見て、靴底（２８）の外表面（３０）の凹状部」を有する。そこでの図３乃至図４４Ｂに詳細が図示されている。
【０００８】
なお、上記特許文献３と関連するものとして同一出願人により、例えば日本国特許としては特許第３０４９２９９号、第３０６００３３号、第３２９３０７１号等があり、また米国特許としては、ＵＳ５３１７８１９、ＵＳ５５４４４２９、ＵＳ６６２９３７６Ｂ１、ＵＳ６６６８４７０Ｂ２、ＵＳ６８１０６０６Ｂ１、ＵＳ６８７７２５４Ｂ２、ＵＳ７０９３３７９Ｂ２等がある。
【発明の概要】
【発明が解決しようとする課題】
【０００９】
ａ）上記特許文献１に記載のものは、足入れ部が足甲および足裏の自然な曲面によく適合する曲線であるから、足との密着と保持がよくて履き心地も良好になる。しかし、靴の踵部外底面が平面状やそれに近い形状であるため、例えば傾斜した地面の歩行時や走行時で、靴底面に対して斜め方向への力が加わるような場合に、靴部底面がその傾斜に沿おうとして靴が変形したりする。また下腿軸から加わる圧力が踵骨の一直方向にはならないため、靴内の踵部や踵の外底面が平面状のままでは、やはり足首や周辺部の骨部及び腱部に過回動や過大な負荷が加わり、上記のような故障・障害を起こし易いし、かつ地面から十分な反力を受けることができず、足に力が入り難い。
【００１０】
ｂ）上記特許文献２に記載のものは、衝撃吸収性はあるとしても、靴の踵部外底面が平面状である場合には、例えば傾斜した地面の歩行時や走行時で、靴底面に対して斜め方向への力が加わるようなときに、靴部底面がその傾斜に沿おうとして靴が変形したり、また下腿軸から加わる圧力が踵骨の一直方向にはならないために、靴内の踵部や踵の外底面が平面状のままでは、やはり足首や周辺部の骨部及び腱部に過回動や過大な負荷が加わり、上記と同様に故障・障害を起こし易いし、かつ地面から十分な反力を受けることができず、足に力が入り難い。
【００１１】
ｃ）上記特許文献３に記載のものは、靴底が足の側部の自然な形状に合致し、左右方向縦平面断面において一定の厚さを有することで、足が素足である場合と同様に足が地面と自然に作用しあうことは認められる。
【００１２】
しかし、足首関節部の保持固定に十分な配慮がなされておらず、これではやはり捻挫や肉離れ等の故障を起こし易いし、中足骨の可動が十分に保証されているか疑問が残る。路面の凹凸や傾斜面を歩行・走行時に靴の外裏面で十分な力を加えたり、路面・傾斜面から反力を受けて確実に歩行・走行できるかの点でも問題点が残っている。
【００１３】
なお上記した特許文献の他にも、靴の裏底全体を球状にしたものも提案されている（例えば特開２００１−８７７１７号公報、実用新案登録第３１６３５８２号公報参照）。しかしそれらはリハビリやトレーニングを目的としたもので、本発明とはその構成・目的・課題・効果を異にする。
【００１４】
本発明は、上記従来の靴の問題点の解決を課題としたものである。即ち、本発明の目的は、歩行・走行時に安定性があると共に地面に対して十分な力を加えることができ、また足首や周辺の関節部、骨部及び腱部等に無理に過大な負荷が加わることを防止して、上記のような故障・障害の発生を防止でき、かつ足の機能を十分確実に発揮できる靴を提供しようとしている。
【課題を解決するための手段】
【００１５】
本発明に係る靴は、
靴踵部２内側に、足関節部の動きを背屈と底屈以外は制限し得るように囲む両側壁部４と後壁部５をもつヒールカップ部３を設け、靴１の裏底部６に、足の第５中足骨７の基部近傍から第１中足骨８前部近傍に対応する部分にかけて、他より薄肉厚の折曲がり用部９を設け、かつ靴踵部２の外形を下部へ凸状のほぼ半球状部１０に形成したものである。
【００１６】
上記構成において、靴１の裏底部６は全体が一体成形によるものとし、その材質は衝撃吸収性（クッション性）と耐磨耗性を有するように、ゴム製（例えば天然ゴム、合成ゴム、ラテックスゴム、または発泡ゴムスポンジ）或いは合成樹脂製とするのがよい。また靴踵部２におけるほぼ半球状部１０は、無負荷状態時には下方へほぼ半球状であるが（例えば図２，図４参照）、体重その他の荷重が加わった際には、地面ｇとの接触部分が僅かに偏平状となる（例えば図５，図６参照）程度の硬度と弾力性をもつものとする。
【００１７】
ここで外形がほぼ半球状とは、この靴を前方（または後方）からだけでなくて側方から見た際の外形も下方へ凸部のほぼ半球状であることを言う。このほぼ半球状部１０は、その高さを厳密に球状の半径と等しくする必要はない。靴踵部２の内部では足の踵部１１を係合可能な形状に凹状をなしている（例えば５，図６参照）。
【００１８】
そして上記ヒールカップ部３は、その上縁部１２がほぼ足のくるぶしの上までの高さを有し、足関節部の動きを背屈と底屈以外は制限し得るように囲む両側壁部４と後壁部５をもつものである。
【００１９】
なお、上記の靴１の裏底部６の折曲がり用部９で、第１中足骨８前部に対応する部分とは、換言すれば母趾基節骨１３の後部近傍に対応する部分とも言える。本発明と対比するため示した従来例の図において、本発明と対応する各部分には共通の図面符号を付してある。
【発明の効果】
【００２０】
上記構成による本発明の靴は、次のような作用・効果を発揮する。
イ）本発明の靴１は、足関節部の動きを背屈と底屈以外は制限し得るように、足の踵部１１近傍を囲む両側壁部４と後壁部５をもつヒールカップ部３を形成してある。
【００２１】
そのため、この靴１を履いた際には足は靴と一体感を有することは勿論のこと、足関節部は、背屈と底屈以外の動きが制限されることになり、足首を捻じることによって生じる捻挫や肉離れ等の故障・障害を防止することができる。このことは特に、凹凸のある地面ｇや傾斜状面を歩行・走行する際に、靴底面がそれに沿おうとして靴・足に斜め方向への力が加わるようなときに有効である。
【００２２】
即ち、従来の靴では、靴部底面がその傾斜に沿おうとするから、下腿の軸線ｙから加わる圧力が踵骨の一直方向にはならないため（例えば図１７参照）、足首や周辺部の骨部及び腱部に過回動や過大な負荷が加わり、上記のように故障・障害をを起こし易かった。これに対して本発明の靴１では、下腿の軸線ｙから加わる圧力が踵骨の一直方向になるので（例えば図７，図８，図９参照）、上記のような故障・障害の発生を防止できる。
【００２３】
ロ）本発明では上記の如く、靴踵部２の外形を下方へ凸状のほぼ半球状部１０に形成してあることにより、踵裏部の地面ｇへの接触状態は、半球状の曲面のいずれか部分での接触状態となり（例えば図２，図４参照）、足の背屈と底屈以外の動きは靴１の接地面を軸とする動きになる。
【００２４】
その靴１が履かれて体重等で荷重が加わった場合に、地面ｇとの接触状態は面接触になるが、その面接触はごく小さい面積での面接触状態になるだけである（例えば図５，図６参照）。しかも、地面ｇの傾斜が左または右、或いは前または後に傾斜したいずれの場合でも、靴踵部２と地面ｇとの接触はほぼ半球状部１０の曲面のいずれかの部分での接触である（例えば図７，図８，図９参照）。
【００２５】
従来の靴では、靴踵部２が平面的であるために身体の傾きや地面ｇの傾斜等により、靴踵部２と地面ｇとの接触状態が急に変化して不安定になるが（例えば図１７と図１８参照）、本発明の靴では上記の如く靴踵部２と地面ｇとの接触がほぼ半球状の曲面のいずれかの部分での接触であるため、地面ｇの傾斜や身体の傾き等に係わらず靴踵部２から加わる力の変化は常に無段階の滑らかなものになり（例えば図７，図８，図１０，図１２ａ，ｂ，ｃ，図１３参照）、足関節に急激な変化や力が加わることを無くすことができる。
【００２６】
ハ）同じく、靴踵部２と地面ｇとの接触がほぼ半球状の曲面のいずれかの部分が接触するものであることから、地面ｇに靴踵部２が接した状態で身体を縦軸の周りに回した場合、従来のものと異なり、膝関節等に負担がかからない。即ち、従来の平面的な靴踵部２をもつものでは、平面的な靴踵部２が地面ｇに対して言わば固定状態にあるから（例えば図２０ａ参照）、身体を回すと固定状態にある踵骨・距骨１８に対して上部に連結した脛骨・腱骨１９が足の軸線ｙの周りに回ろうとする（例えば図２０ｂ参照）から、足首や膝関節等に無理な力が加わり、負担をかけて故障・障害が生じていた。
【００２７】
これに対して本発明の靴１では、靴踵部２はほぼ半球状部１０の小さい面積で地面ｇに接触しているから、身体を回した場合に靴踵部２は地面との接触点を軸とした回転が可能である（例えば図１１参照）。そのため、身体を縦軸の周りに回して脛骨・腱骨１９が足の軸線ｙの周りに回る際に、踵骨・距骨１８も軸線ｙの周りに追従して回ることになるから、従来の平面的な靴踵部２の靴と異なり、足首や膝関節に無理な力が加わらず、負担を無くし故障・障害が起きることを無くせる。
【００２８】
ニ）同じく、靴踵部２が下方へ凸状のほぼ半球状部１０であることにより、歩行・走行時に、従来の平面状の靴踵部２をもつ靴と異なって足の運びをスムーズに行えるから、従来の平面状の靴踵部２をもつ靴と異なり、じん帯やアキレス腱等の負担・損傷を防止できる。
【００２９】
即ち、従来の靴１では、歩行・走行時に靴踵部２の後端部が接地すると直ぐに平面状の靴踵部２全体が接地するから、靴の裏底面全体が接地することになり、足の裏面と足の軸線ｙとがなす角度αが急に大きく変化して、足首のじん帯やアキレス腱を伸縮させる力の変化が急で、足の負担や疲労が大きかった。
【００３０】
これに対して本発明の靴１では、靴踵部２がほぼ半球状部１０であるから、歩行・走行時にまず該半球状部１０の後部寄り部分が接地し（例えば図１２ａ参照）、この際の接地点ＰはＰ1 であるが、その後に接地点Ｐは靴踵部２のほぼ半球状部１０の曲面に沿って徐々に前方へＰ2,Ｐ3 と移動しながら接地していく（例えば図１２ｂ参照）。
【００３１】
これを図１３に基づいて少し詳しく説明する（この図は靴踵部２のほぼ半球状部１０を基準に描いており、地面ｇは同一の水平面である）当初、靴踵部２の後部が地面ｇに接した際の接地点Ｐはほぼ半球状部１０の曲面の後部寄りのＰ1 の位置であり、その後に身体の前進移動に伴って靴１の裏底面６が地面ｇに近づくが、その際のほぼ半球状部２の接地点ＰはＰ2 の位置になり、さらに、靴１の裏底面６が接地する状態（例えば図１２ｂ参照）でのほぼ半球状部２の接地点ＰはＰ3 の位置へ前進移動する。
【００３２】
その後さらに身体が前方へ移動すると、靴裏底面前部寄りの折曲がり用部１７が曲がると共に、ほぼ半球状部１０の接地は終わり、靴踵部２が持ち上がる（例えば図１２ｃ参照）。上記の各接地点Ｐ1,Ｐ2,Ｐ3 における足の軸線ｙと足底面とがなす角度αは、従来のものと異なり、常にほぼ９０度が維持されることになっている（上記図１２のａ，ｂ，ｃ，図１３参照）。したがって、本発明の靴では、歩行・走行時に足首周辺のじん帯やアキレス腱を伸縮させる力の変化が少なくなっており、足の負担や疲労も小さくできるものである。
【００３３】
ホ）本発明の靴で靴踵部２以外の裏底部６には、第５中足骨の基部近傍から第１中足骨の前部（または母趾基節骨の後部）近傍に対応する部分にかけて、薄肉厚の折曲がり用部９を有している。そのため、踵骨を基盤とする足後部の足根部に対して、中央部から前部にかけての部分は、独立して折曲がるように可動である。
【００３４】
これにより、足の踵部１１と母趾球部１４と小趾球部１５の３点（図１６で二点斜線を付した部分参照）がバランスをとってうまく体重その他の荷重を支えることができる。そのため、いわゆる３点支持が可能となるから、平坦な地面１では勿論のこと、凹凸や傾斜のある地面ｇでも足関節に過大や荷重や過度の負荷をかけることなく歩行・走行することができる。
【００３５】
ヘ）このように本発明の靴は、上記ヒールカップ部３と、折曲がり用部９と、靴踵部２に下方へ凸状のほぼ半球状部１０とを有する構成の相乗作用により、地面ｇの凹凸や傾斜にかかわらず常に３点支持が可能となって、足には局部的に無理で過大な力が加わることが無くなっている。その結果として、歩行・走行時に安定性があると共に地面に対して十分な力を加えることができ、また足首や周辺の関節部や骨部、及びじん帯や腱部等に無理に過大な負荷が加わることを防止して、足の故障・障害の発生を防止でき、かつ足の機能を十分確実に発揮できるものである。
【図面の簡単な説明】
【００３６】
【図１】本発明に係る靴の実施例を示す斜視図である。
【図２】図１で示した靴の縦断側面図である。
【図３】図１で示した靴の底面図である。
【図４】図１で示した靴の踵部の縦断背面図である。
【図５】図１で示した靴を履いた場合の縦断側面図である。
【図６】図１で示した靴を履いた場合の踵部の縦断背面図である。
【図７】図１で示した靴を傾斜面で履いた場合の踵部縦断背面図である。
【図８】図１で示した靴を図７とは逆の傾斜面で履いた場合の踵部縦断背面図である。
【図９】図１で示した靴を凹凸の有る場所で履いた場合の縦断側面図である。
【図１０】図１で示した靴を履いて身体を傾けた場合の縦断背面図である。
【図１１】図１で示した靴を履いて身体を回した場合の縦断背面図である。
【図１２】ａ，ｂ，ｃの各図は、図１で示した靴を履いて歩行時の接地状態を示す概略側面図である。
【図１３】図１で示した靴を履いて歩行時に、靴踵部のほぼ半球状部と地面との接地点Ｐの移動を示す縦断側面図である。
【図１４】足首を内がえした状態の足の動きを示す概略斜視図である。
【図１５】足首を外がえした状態の足の動きを示す概略斜視図である。
【図１６】足の骨の名称を示す平面図である。
【図１７】従来の靴を履いて身体をやや傾けた際の縦断背面図である。
【図１８】図１７で示した状態から身体をさらに傾けた際の縦断背面図である。
【図１９】従来の靴を履いて傾斜面に接地した状態の縦断背面図である。
【図２０】ａは従来の靴を履いて静止時の縦断背面図、ｂは身体を回した時の縦断背面図である。
【発明を実施するための形態】
【００３７】
靴踵部２内側に、足関節部の動きを背屈と底屈以外は制限し得るように囲む両側壁部４と後壁部５をもつヒールカップ部３を設け、靴１の裏底部６に、足の第５中足骨７の基部近傍から第１中足骨８前部近傍に対応する部分にかけて、他より薄肉厚の折曲がり用部９を設け、かつ靴踵部２の外形を、下部へ凸状のほぼ半球状部１０に形成する。
【実施例１】
【００３８】
図１ないし図１３は、本発明に係る靴をランニングシューズとした場合の実施例を示すが、ここでは近時の多くの靴と同様に、セメンテッド製法によりアッパー部の胛被１６とソール部の裏底部６とを接着剤で貼り合わせたものであり、上部後方に開口した履口部を設けて靴形状に形成してある。
【００３９】
上記靴１の裏底部６は、ここでは合成ゴム製としているが、衝撃吸収性や耐磨耗性をもつものとする。靴踵部２に形成した下方へ凸状のほぼ半球状部１０の外形は、図４，図５，図６で示すように無負荷時にはそのまま下方へ凸状のほぼ半球状をしており、体重その他の荷重が加わった際に、接触部分で僅かに偏平する程度の硬度と弾力性をもつように設定してある。
【００４０】
上記靴形状としたものの靴踵部２の内側には、図５，図６で示す如く、足関節部の動きを背屈と底屈以外は制限し得るように囲む両側壁部４と後壁部５をもつヒールカップ部３を設けてある。そしてその上端縁は、足のくるぶしの上部近傍まである高さに形成してある。
【００４１】
上記靴踵部２の裏底は、外形が下方へ凸状のほぼ半球状部１０に形成してある。ここでほぼ半球状部１０は、図２，図３，図４で示す如く、靴の正面から見ても背面から見てもほぼ半球状をしている。ここではその大きさを、最大外径が約８０ｍｍで高さが約４０ｍｍのほぼ半球状になるようにしてある。
【００４２】
このほぼ半球状部１０は、外形は上記の如くほぼ半球状であるが、靴踵部２内の上面は図２，図４で示すように、該靴踵部２に足踵部１１を係合可能に凹面状にしてある。
【００４３】
また靴踵部２以外の裏底部６は、足の第５中足骨の基部７近傍から第１中足骨８の前部（または母趾基節骨の後部）近傍に対応する部分にかけて、薄肉厚として折曲がり用部９を形成してある。これによってこの靴１は、この折曲がり用部９と上記のヒールカップ部３と靴踵部２のほぼ半球状部１０との相乗作用で、地面の凹凸や傾斜面にかかわらず常に３点支持が可能となって、足に無理なく歩行・走行できるようになり、靴として有用な機能を発揮する。
【００４４】
１７は別の折曲がり用部を示し、上記折曲がり部９に加えて、足の中足骨と趾骨をつなぐ関節であるＭＰ関節に対応する位置に形成してある。
【００４５】
この構成により、上記発明の効果の欄で述べたような有益な作用・効果を発揮できる靴となっている（ここでは重複を避けて記載の省略する）。
【００４６】
なお上記実施例では、本発明の靴をランニングシューズとした例で説明したが、それに限らず、例えば一般的なシューズや広くスポーツシューズ、アウトドアシューズ、リハビシューズ等にも応用できることは言うまでもない。また上記で示した材質・寸法・製法等は例示であってそれに限定するものでないことは勿論である。
【符号の説明】
【００４７】
１−靴
２−靴踵部
３−ヒールカップ部
４−側壁部
５−後壁部
６−裏底部
７−第５中足骨
８−第１中足骨
９−折曲がり部
１０−ほぼ半球状部
１１−足の踵部
１２−上縁部
１３−母指基節骨
１４−母趾球部
１５−小趾球部
１６−胛被
１７−折曲がり部
１８−脛骨・腱骨
１９−踵骨・距骨
ｇ  地面
Ｐ，Ｐ1,Ｐ2,Ｐ3 −接地点
ｙ−足の軸線
α−角度
【図１】
2013042891.tif 000003
【図２】
2013042891.tif 000004
【図３】
2013042891.tif 000005
【図４】
2013042891.tif 000006
【図５】
2013042891.tif 000007
【図６】
2013042891.tif 000008
【図７】
2013042891.tif 000009
【図８】
2013042891.tif 000010
【図９】
2013042891.tif 000011
【図１０】
2013042891.tif 000012
【図１１】
2013042891.tif 000013
【図１２】
2013042891.tif 000014
【図１３】
2013042891.tif 000015
【図１４】
2013042891.tif 000016
【図１５】
2013042891.tif 000017
【図１６】
2013042891.tif 000018
【図１７】
2013042891.tif 000019
【図１８】
2013042891.tif 000020
【図１９】
2013042891.tif 000021
【図２０】
2013042891.tif 000022
【手続補正書】
【提出日】平成23年9月9日(2011.9.9)
【手続補正１】
【補正対象書類名】明細書
【補正対象項目名】００２６
【補正方法】変更
【補正の内容】
【００２６】
ハ）同じく、靴踵部２と地面ｇとの接触がほぼ半球状の曲面のいずれかの部分が接触するものであることから、地面ｇに靴踵部２が接した状態で身体を縦軸の周りに回した場合、従来のものと異なり、膝関節等に負担がかからない。即ち、従来の平面的な靴踵部２をもつものでは、平面的な靴踵部２が地面ｇに対して言わば固定状態にあるから（例えば図２０ａ参照）、身体を回すと上記固定状態にある踵骨・距骨１８に対して、上部に連結した脛骨・腓骨１９が足の軸線ｙの周りに回ろうとする（例えば図２０ｂ参照）。そのため、足首や膝関節等に無理な力が加わり、負担をかけて故障・障害が生じていた。
【手続補正２】
【補正対象書類名】明細書
【補正対象項目名】００２７
【補正方法】変更
【補正の内容】
【００２７】
これに対して本発明の靴１では、靴踵部２はほぼ半球状部１０の小さい面積で地面ｇに接触しているから、身体を回した場合に靴踵部２は地面との接触点を軸とした回転が可能である（例えば図１１参照）。そのため、身体を縦軸の周りに回して脛骨・腓骨１９が足の軸線ｙの周りに回る際に、踵骨・距骨１８も軸線ｙの周りに追従して回ることになるから、従来の平面的な靴踵部２の靴と異なり、足首や膝関節に無理な力が加わらず、負担を無くし故障・障害が起きることを無くせる。
【手続補正３】
【補正対象書類名】明細書
【補正対象項目名】００３１
【補正方法】変更
【補正の内容】
【００３１】
これを図１３に基づいて少し詳しく説明する（この図は靴踵部２のほぼ半球状部１０を基準に描いており、地面ｇは同一の水平面である）。当初、靴踵部２の後部が地面ｇに接した際の接地点Ｐはほぼ半球状部１０の曲面の後部寄りのＰ1 の位置であり、その後に身体の前進移動に伴って靴１の裏底面６が地面ｇに近づくが、その際のほぼ半球状部２の接地点ＰはＰ2 の位置になり、さらに、靴１の裏底面６が接地する状態（例えば図１２ｂ参照）でのほぼ半球状部２の接地点ＰはＰ3 の位置へ前進移動する。
【手続補正４】
【補正対象書類名】明細書
【補正対象項目名】００４７
【補正方法】変更
【補正の内容】
【００４７】
１−靴
２−靴踵部
３−ヒールカップ部
４−側壁部
５−後壁部
６−裏底部
７−第５中足骨
８−第１中足骨
９−折曲がり部
１０−ほぼ半球状部
１１−足の踵部
１２−上縁部
１３−母指基節骨
１４−母趾球部
１５−小趾球部
１６−胛被
１７−折曲がり部
１８−踵骨・距骨
１９−脛骨・腓骨
ｇ  地面
Ｐ，Ｐ1,Ｐ2,Ｐ3 −接地点
ｙ−足の軸線
α−角度
【手続補正５】
【補正対象書類名】図面
【補正対象項目名】図１１
【補正方法】変更
【補正の内容】
【図１１】
2013042891.tif 000023
【手続補正６】
【補正対象書類名】図面
【補正対象項目名】図２０
【補正方法】変更
【補正の内容】
【図２０】
2013042891.tif 000024